(57)【要約】【課題】建物の周辺に設置スペースが少なくても容易に設計・施工でき、低コストで且つ短期間に施工できると共に、形状やサイズに自由度が高く、且つ隣接または設置すべき建物との意匠的な調和も容易に得られる貯水装置を提供する。【解決手段】建物に降った雨水Ｗを貯蔵し且つ活用するための貯水装置１であって、アルミニウム合金からなる複数の押出形材２からなり、雨水Ｗを溜める複数の平行で且つ垂直な中空部４からなる貯水部Ｔと、係る貯水部Ｔにおける最低部に位置し、上記複数の中空部４を連通する切り欠きｋあるいは凹溝８ｃからなる通水部９と、を備えている、貯水装置１。【選択図】  図６
2011256558.tif 000002
【特許請求の範囲】
【請求項１】
建物に降った雨水を貯蔵し且つ活用するための貯水装置であって、
アルミニウム合金からなる単数または複数の押出形材からなり、雨水を溜める複数の平行な中空部からなる貯水部と、
上記貯水部における最低部に位置し、上記複数の中空部を連通する通水部と、を備えている、
ことを特徴とする貯水装置。
【請求項２】
前記貯水部を構成する複数の平行な中空部は、垂直方向、斜め方向、あるいは、水平方向に沿っている、
ことを特徴とする請求項１に記載の貯水装置。
【請求項３】
前記貯水部を構成する複数の中空部は、断面方向において互いに隣接し且つ嵌合する一対の前記押出形材の間に形成されている、
ことを特徴とする請求項１または２に記載の貯水装置。
【請求項４】
前記貯水部を構成する複数の中空部は、単一の前記押出形材に内設されている、  ことを特徴とする請求項１または２に記載の貯水装置。
【請求項５】
前記貯水部を構成する複数の中空部を有する単数または複数の押出形材は、複数の前記中空部が直線状または縦横方向に隣接するか、あるいは、互いに間隔を置いて離れるようにして、平行に配置されている、
ことを特徴とする請求項１乃至４の何れか一項に記載の貯水装置。
【請求項６】
前記通水部は、前記貯水部を構成する複数の中空部の間を区画する仕切壁に設けた貫通孔または切り欠き、あるいは、上記複数の中空部の一端にて該中空部と直交する凹溝である、
ことを特徴とする請求項１乃至５の何れか一項に記載の貯水装置。
【請求項７】
前記通水部は、前記貯水部を構成する複数の中空部の底壁における最低側の端部に設けた貫通孔または切り欠きと、係る貫通孔または切り欠きの下側に位置し且つ上記複数の中空部と直交する凹溝とからなる、
ことを特徴とする請求項１乃至５の何れか一項に記載の貯水装置。
【発明の詳細な説明】
【技術分野】
【０００１】
本発明は、住宅などの建物に降った雨水を貯蔵し且つ係る雨水をトイレの洗浄水などの生活用水や庭への打ち水などに活用するための貯水装置に関する。
【背景技術】
【０００２】
建物に降った雨水を一旦貯めておき、例えば、係る雨水をトイレの汚物洗浄水として活用するため、全体が垂直な円柱形状のタンク本体と、係るタンク本体を基礎の上に設置するための設置台とを、ステンレス鋼などの金属製材料により一体的に構成した貯水タンクの発明が提案されている（例えば、特許文献１参照）。
上記貯水タンクの発明によれば、従来の硬質塩化ビニル製の貯水タンクに比べ、廃棄する場合の焼却処分時に有害物質が生じず、環境に優しくなると共に、取付構造が簡単で、配管施工や設計変更にも柔軟に対応でき、且つ集約的設計が実現し得る、という利点が得られる。
【０００３】
しかし、前記貯水タンクのタンク本体のように、直径が約４０ｃｍ、高さが約５００ｃｍもあり、且つ重量が約５５０ｋｇであると、建物などの周辺における敷地に設置すべきスペースがないと、基礎を含めた施工ができないため、設計および設置場所の制限を受ける。また、上記タンク本体は、単一の貯水槽を内蔵しているので、地震などによる振動を受けるた際に傾いたり、倒壊するおそれがある。更に、タンク本体が円柱形であり、且つその内側にオーバーフロー管を内蔵するため、複数のステンレス鋼板などを曲げ加工し、且つ溶接により組み立てるなどの製作コストが高くなる。しかも、タンク本体のデザインが円柱形に制限されているため、当該タンクの形状やサイズに自由度が少ないと共に、隣接または設置すべき建物との意匠上の調和が得られにくい、などの問題点があった。
【先行技術文献】
【特許文献】
【０００４】
【特許文献１】特許第３８８６７０６号公報（第１〜１０頁、図１〜９）
【発明の概要】
【発明が解決しようとする課題】
【０００５】
本発明は、背景技術において説明した問題点を解決し、建物の周辺に設置スペースが少なくても容易に設計・施工でき、低コストで且つ短期間に施工できると共に、形状やサイズに自由度が高く、且つ隣接または設置すべき建物との意匠的な調和も容易に得られる貯水装置を提供する、ことを課題とする。
【課題を解決するための手段および発明の効果】
【０００６】
本発明は、前記課題を解決するため、アルミニウム合金の押出形材に内設される複数の中空部を貯水部とし、係る複数の中空部を互いに連通させ、且つ係る連通部を通じて貯水を有効利用し易くする、ことに着想して成されたものである。
即ち、本発明の貯水装置（請求項１）は、建物に降った雨水を貯蔵し且つ活用するための貯水装置であって、アルミニウム合金からなる単数または複数の押出形材からなり、雨水を溜める複数の平行な中空部からなる貯水部と、係る貯水部における最低部に位置し、上記複数の中空部を連通する通水部と、を備えている、ことを特徴とする。
これによれば、雨水を溜める複数の平行な中空部からなる貯水部をアルミニウム合金からなる単数または複数の押出形材により構成するので、後述するように、任意の断面形状およびサイズで且つ所望の長さ（押出方向に沿った寸法）の貯水部と、係る貯水部における最低部において、上記複数の中空部連通する通水部とを備えた貯水装置となる。そのため、建物の周辺に設置スペースに応じて、所望形状およびサイズを有し、容易に設計・施工でき、低コストで且つ短期間に施工できると共に、隣接するまたは設置すべき建物との意匠的な調和も容易に得られる。更に、貯水部が複数の中空部に分割されているので、地震などによる揺れや振動に対しても、破損や倒壊を抑制でき、安全性を保つことができる。
【０００７】
尚、前記押出形材は、単数の形材で且つ複数の中空部を併有する形態、複数の形材で且つ各形材が単数の中空部を有する形態、および複数の形材で且つ各形材が複数の中空部を有する形態を含む。換言すると、上記中空部は、一対の形材の間に形成される形態と、単一の形材に内設される形態との２種類がある。
また、前記押出形材の中空部の断面形状は、互いに隣接ないし接近した配設し易いの矩形（正方形または長方形）や正六角形などの正多角形のほか、交互に逆向きの台形状あるいは三角形状も含まれる。
更に、前記複数の中空部のうち、少なくとも１つの中空部の最上部付近には、住宅などの建物に降った雨水を注水するホースや管が接続される。
また、前記通水部には、複数の中空部に溜めた雨水を排出し、途中のポンプや先端側の栓（弁：バルブ）付きを有するホースまたは管が接続される。
更に、前記建物には、住宅のほか、工場、ビル、公共施設などが含まれる。
加えて、本貯水装置から排出された雨水は、トイレの洗浄水、花壇や芝生や私道などへの散水に利用され、あるいは火災時の消火用などに活用される。
【０００８】
また、本発明には、前記貯水部を構成する複数の平行な中空部は、垂直方向、斜め方向、あるいは、水平方向に沿っている、貯水装置（請求項２）も含まれる。
これによれば、複数の平行な中空部から構成される貯水部を、設置スペースに応じて垂直方向に沿った塀や囲いタイプ、屋根の傾斜に沿った屋根置きタイプ、あるいは、水勾配のみが付されたベランダの床（デッキ）タイプとし得る。従って、隣接する建物や設置される建物との意匠的な調和が容易に得られる。
尚、複数の中空部が垂直方向に沿っている形態は、住宅の塀または囲いなどに兼用でき、複数の中空部が斜め方向に沿っている形態は、屋根の上や陸屋根に設置でき、複数の中空部が水平方向に沿っている形態は、物干し用ベランダ、テラス、あるいは縁台などの床に兼用できる。係る水平方向に沿った形態では、複数の中空部は、水平方向に対して、約１〜２°の水勾配を有するように配設される。
【０００９】
更に、本発明には、前記貯水部を構成する複数の中空部は、断面方向において互いに隣接し且つ嵌合する一対の前記押出形材の間に形成されている、貯水装置（請求項３）も含まれる。
これによれば、断面方向において互いに隣接し且つ嵌合する一対の前記押出形材の間に中空部が形成されるので、断面寸法が比較的大きな１つの中空部を、一対のオープン押出形材を嵌合することで形成し、更にその隣に別のオープン押出形材を嵌合することで、複数の中空部を断面方向が直線状などに配設し且つ互いに平行とした貯水部を構成することができる。しかも、一対のオープン押出形材を嵌合して中空部を形成するので、該中空部となる内面に対しても、アルマイト処理や電着塗装などの表面処理を十分な膜厚で確実に被覆できるため、耐食性が向上する。上記アルマイト処理や電着塗装なによる色彩は、隣接する建物の外壁や屋根に、ブロンズ色、黒色、あるいは灰色などが推奨される。
【００１０】
また、本初明には、前記貯水部を構成する複数の中空部は、単一の前記押出形材に内設されている、貯水装置（請求項４）も含まれる。
これによれば、単一の前記押出形材に複数の中空部が内設されている形態では、係る単一の押出形材を押出方向に沿って所望長さに切断するだけで、前記貯水部を容易に構成することができる。尚、単一の前記押出形材に内設された中空部の内面に対し、前記表面処理を施す場合、該中空部内に補助電極を挿入するか、あるいは表面処理液を上記中空部内で十分に攪拌することで、耐食性を確保し得る。更には、単一の前記押出形材を塗装液中に浸漬するドブ付けを施しても良い。この場合にも、上記中空部以外の上記形材の外側面には、隣接する建物の外壁や屋根に、ブロンズ色、黒色、あるいは灰色などが推奨される。
【００１１】
更に、本発明には、前記貯水部を構成する複数の中空部を有する単数または複数の押出形材は、複数の前記中空部が直線状または縦横（Ｘ−Ｙ）方向に隣接するか、あるいは、互いに間隔を置いて離れるようにして、平行に配置されている、貯水装置（請求項５）も含まれる。
これによれば、複数の中空部を直線状に隣接することで、塀、囲い、目隠し柵、あるいはベランダ床などの扁平なエクステリアと兼用でき、複数の中空部を縦横（Ｘ−Ｙ）方向に隣接させることで、門柱、庇、またはベランダの支柱などの角柱材と兼用でき、更に、複数の押出形材が互いに間隔を置いて併設する形態では、採光または風通し機能を有する塀、柵、日除けを兼ねさせることが可能となる。
【００１２】
更に、本発明には、前記通水部は、前記貯水部を構成する複数の中空部の間を区画する仕切壁に設けた貫通孔または切り欠き、あるいは、上記複数の中空部の一端にて該中空部と直交する凹溝である、貯水装置（請求項６）も含まれる。
これらのうち、上記貫通孔または切り欠きを仕切壁に設ける形態では、係る切り欠きなどに接近ないし隣接する複数の中空部の端部を蓋板で閉塞するのみで、貯水装置の通水部を容易に製作できる。一方、複数の中空部の一端において該中空部と直交する凹溝が通水部となる形態では、複数の押田形材の一端に直交する断面チャンネル形状の樋材、あるいは複数の通水孔が穿孔された管材を固着することによって、貯水装置を製作できる。
【００１３】
加えて、本発明には、前記通水部は、前記貯水部を構成する複数の中空部の底壁における最低側の端部に設けた貫通孔または切り欠きと、係る貫通孔または切り欠きの下側に位置し且つ上記複数の中空部と直交する凹溝とからなる、貯水装置（請求項７）も含まれる。
これによれば、複数の中空部が斜め方向または水平方向に沿っており、係る複数の中空部の底壁における最低側の端部に貫通孔または切り欠きを設けると共に、当該貫通孔または切り欠きの下側に位置し且つ上記複数の中空部と直交する凹溝を有する樋材を固着することで、貯水装置を容易に製作できる。
【図面の簡単な説明】
【００１４】
【図１】本発明による一形態の貯水装置を示す側面視の正面図。
【図２】図１中のＸ−Ｘ線の矢視に沿った水平断面図。
【図３】図２中の一点鎖線部分Ｚの部分拡大図。
【図４】図１中のＹ−Ｙ線の矢視に沿った垂直部分断面図。
【図５】図４と異なる形態の垂直部分断面図。
【図６】上記貯水装置の作用を示す垂直断面図。
【図７】異なる形態の押出形材を嵌合した図２と同様な水平断面図。
【図８】図７中の一点鎖線部分Ｕの部分拡大図。
【図９】更に異なる形態の押出形材を嵌合した図２と同様な水平断面図。
【図１０】別個な形態の押出形材を嵌合した図２と同様な水平断面図。
【図１１】別異な形態の押出形材を嵌合した図２と同様な水平断面図。
【図１２】異なる形態の貯水装置を示す部分垂直断面を含む正面図。
【図１３】図１２中の一点鎖線部分Ｒの拡大部分断面図。
【図１４】図１３中の貯水部を含む垂直部分断面図。
【図１５】上記貯水装置に用いる水受材を示す部分斜視図。
【図１６】更に異なる形態の貯水装置を示す側面視の正面図。
【図１７】図１６中のＶ−Ｖ線の矢視に沿った水平断面図。
【図１８】異なる形態の複数の押出形材を併用した図１７と同様な水平断面図。
【図１９】上記貯水装置の最低部付近を示す部分分解斜視図。
【図２０】屋根の上に配置した貯水装置を概略図。
【図２１】上記屋根の上に配置する一形態の貯水装置を示す分解斜視図。
【図２２】上記屋根の上に配置する別形態の貯水装置を示す分解斜視図。
【図２３】建物のベランダの床を兼用する貯水装置を概略図。
【図２４】上記床と兼用する一形態の貯水装置を示す分解斜視図。
【図２５】上記床と兼用する別形態の貯水装置を示す分解斜視図。
【発明を実施するための形態】
【００１５】
以下において、本発明を実施するための形態について説明する。
図１は、本発明による一形態の貯水装置１を示す側面視の正面図、図２は、図１中のＸ−Ｘ線の矢視に沿った水平断面図、図３は、図２中の一点鎖線部分Ｚの部分拡大図、図４は、図１中のＹ−Ｙ線の矢視に沿った垂直部分断面図である。
貯水装置１は、図示しない建物の周囲に立設する塀を兼ねるものであり、一対の基礎Ｂ上に個別に植設した一対の支柱５，５と、これらの間において垂直方向に沿い且つ水平方向に隣接して配置された複数の押出形材２と、係る複数の押出形材２の上端を塞ぎ且つ上記支柱５の上端に固定される蓋板７と、上記複数の押出形材２の下端を塞ぎ且つ上記支柱５に固定される樋材８と、を備えている。
尚、蓋板７には、図示しない建物の樋に連通するホースｈ１が貫通し、係るホースｈ１は、図１で左端の押出形材２と閉塞板３とにより形成される中空部４の上端部に開口している。また、樋材８には、図示しないポンプや栓を介してトイレの貯水タンクなどに連通するホースｈ２が貫通している。
【００１６】
上記押出形材２は、アルミニウム合金（例えば、Ａ６０６３−Ｔ５）からなり、図２に示すように、内外一対の側壁２ａと、これらの右端（一端）を接続する端壁２ｂとからなる断面チャンネル形状を押出方向(垂直方向)の全長に沿って有し、これらの全表面に対して、アルマイト（陽極酸化皮膜）処理および電着塗装の少なくとも一方を施すことで、所要膜厚の表面処理層が任意の彩色で被覆されている。
係る押出形材２は、図３に示すように、各側壁２ａの先端側の厚肉部２ｃには、断面くさび形状の細溝２ｄと、その底部に連通する丸溝に充填された断面円形のシール材ｓとを有し、各端壁２ｂの両端部には、上記細溝２ｄに抜け出し不能にして嵌合される断面くさび形状の凸条２ｅがそれぞれ突設されている。尚、各側壁２ａと各端壁２ｂとの内隅には、断面円弧形のネジ受け溝２ｆが一体に形成されている。係るネジ受け溝２ｆの内面には、各形材２と蓋板７または樋材８とを連結するセルフタッピングネジ（図示せず）の雌ネジが追って刻設される。
図２，図３に示すように、相対的に右側の押出形材２の各細溝２ｄ内に、相対的に左側の押出形材２の凸条２ｅを嵌合することで、複数の押出形材２，２間に断面ほぼ正方形の中空部４が、互いに平行で且つ直線状に連続して形成される。係る中空部４は、雨水Ｗを貯めるための貯水部Ｔを構成する。
尚、図１，図２で左端に位置する押出形材２の開口部は、断面が平板形状を呈し、一方（右側）の側面に前記同様である一対の凸条２ｅを有する閉塞板３によって閉鎖されることで、上記同様の中空部４（貯水部Ｔ）が形成される。係る閉塞板３も、一対のネジ受け溝２ｆを有している。
【００１７】
図４に示すように、複数の押出形材２の下端には、内外一対の側壁８ａ、底壁８ｂ、およびこれらに囲まれた凹溝８ｃからなる断面チャンネル形状の樋材８が前記ネジを底壁８ｂに貫通させ且つ各形材２のネジ溝２ｆにネジ込むことにより固定されている。各押出形材２，２間を区画する仕切壁でもある端壁２ｂの下端には、予め断面半円形状の切り欠きｋが形成されているので、係る複数の切り欠きｋは、樋材８の凹溝８ｃと共に、貯水装置１の通水部９を構成している。
尚、上記切り欠きｋに替え、図４に示すように、貫通孔ｔｈを穿孔しても良い。
また、前記樋材８に替えて、図５に示すように、一対の側壁８ａの中間に水平な段部８ｄを有し、且つ断面が逆ハット形状で且つ前記同様の押出形材からなる樋材８′を用いても良い。係る樋材８′は、前記ネジを段部８ｄに貫通させ且つ各形材２のネジ溝２ｆにネジ込むことにより各形材２の下端に固定される。しかも、各形材２の端壁（仕切壁）２ｂに前記切り欠きｋや貫通孔ｔｈを設けなくても、樋材８′の凹溝８ｃ自体が貯水装置１の通水部９を構成できる。
図８，９中の符号ｓは、形材２と樋材８，８′との間に設けた防水シールである。
【００１８】
以上のような貯水装置１は、図６に示すように、建物の樋から雨水Ｗをホースｈ１を経て、図示で左端の閉塞板３と押出形材２とにより形成される中空部（貯水部Ｔ）４内に流下させ、右側に隣接する押出形材２，２間の端壁（仕切壁）２ｂの下端に設けた前記切り欠きｋまたは貫通孔ｔｈと樋材８の凹溝８ｃとからなる通水部９、あるいは前記樋材８′の凹溝８ｃのみからなる通水部９を介して、各形材２，２間の中空部（貯水部Ｔ）４内に上記雨水Ｗが貯水される。
そして、図６中の矢印で示すように、樋材８，８′に接続したホースｈ２から図示しないポンプを経て、トイレの貯水タンクに送水され、該トイレの汚物洗浄水に利用される。あるいは、上記ホースｈ２からポンプを介して、花壇への給水や、庭園への打ち水などに利用しても良い。
尚、図６で左端の閉塞板３と右端の形材２の端壁２ｂは、前記樋材８′の凹溝８ｃを塞ぐように、下側に突出している。
【００１９】
以上のような貯水装置１によれば、建物の周辺に狭い設置スペースに対応して、扁平な塀や囲いの形状およびサイズを有し、容易に設計・施工でき、低コストで且つ短期間に施工できると共に、隣接する建物との意匠的な調和も容易に得られる。更に、貯水部Ｔが複数の中空部４に分割されているので、地震などによる揺れや振動に対しても、破損や倒壊を抑制できるので、安全性も確保することが可能となる。しかも、複数の中空部４の内面には、予め所要膜厚の前記表面処理層が被覆されているため、貯水した雨水Ｗによる腐食を確実に防止できる。
尚、貯水装置１において、前記蓋板７およびホースｈ１を省略し、且つ左右の支柱５，５の上端間に水平な棒材などを接続することで、各中空部４（貯水部Ｔ）に上端の開口部から直に雨水Ｗを貯水する形態としても良い。
また、前記蓋板７および樋材８は、アルミニウム合金板やステンレス鋼板などを曲げ加工としたものとするほか、樋材８も前記同様の押出形材としても良い。
更に、前記ネジがステンレス鋼の場合、各形材２と樋材８，８′とを結合する雄ネジの周囲に防水シール材を充填することで、雨水Ｗを介した電食を予防できる。
【００２０】
図７は、異なる形態の押出形材１０，１０を嵌合した図２と同様な水平断面図、図８は、図７中の一点鎖線部分Ｕの部分拡大図である。
押出形材１０は、前記同様のアルミニウム合金からなり、図７に示すように、内外一対の側壁１１と、これらの端部を接続する仕切壁１２とを有する断面ほぼＺ字形（クランク形）を呈し、図８に示すように、各側壁１１の先端側の厚肉部１５に前記同様の細溝１６と丸溝に充填された断面円形のシール材ｓとを有し、各仕切壁１２の両端部には、上記細溝１６に抜け出し不能にして嵌合される断面くさび形状の凸条１７がそれぞれ突設されている。尚、各側壁１１と各仕切壁１２との内隅には、前記同様のネジ受け溝１８が一体に形成されている。
図７に示すように、左右方向に隣接する押出形材１０，１０の細溝１６に凸条１７を嵌合することで、断面ほぼ正方形の中空部１４（貯水部Ｔ）が複数個直線状に連続して配設される。尚、図７の左右の両端部には、１つの側壁１１と１つの仕切壁１２とからなる断面Ｌ字形状の押出形材１９が用意され、隣接する押出形材１０の細溝１６に凸条１７を嵌合するか、あるいは、隣接する押出形材１０の凸条１７を細溝１６に嵌合させることで、上記同様の中空部１４が形成される。
以上のような押出形材１０，１９から形成され複数の中空部１４からなる貯水部Ｔも、前記貯水装置１に適用できる。
【００２１】
尚、図９に示すように、前記同様のアルミニウム合金からなり、内外一対の側壁２３と、複数の仕切壁２５とからなる断面がほぼ目字形状である３種類の押出形材２０，２１，２２を用いても良い。図９で左側の押出形材２１は、一対の側壁２３と４つの仕切壁２５との間に３つの中空部２４（貯水部Ｔ）を有し、右端の仕切壁２５における内外の両端部に前記同様の凸条２６を突設している。また、図９で中央の押出形材２０は、一対の側壁２３と３つの仕切壁２５との間に２つの中空部２４（貯水部Ｔ）を有し、各側壁２３から左側に延びた水平片２７の先端には、前記同様の細溝２８を有すると共に、右端の仕切壁２５には、内外一対の上記凸条２６を突設している。更に、図９で右側の押出形材２２は、一対の側壁２３と３つの仕切壁２５との間に２つの中空部２４（貯水部Ｔ）を有し、各側壁２３から左側に延びた水平片２７の先端には、前記同様の細溝２８を有する。
上記形材２１，２０の各凸条２６を、上記各形材２０，２２の各細溝２８に嵌合することで、合計９つの中空部２４を直線状に有する貯水部Ｔを、前記貯水装置１に適用できる。
尚、中間の押出形材２０を２個以上用いても良い。また、前記押出形材２０〜２２は、個別に複数の中空部２４を内設しており、各中空部２４の内面に前記表面処理層を十分膜厚で被覆するためには、予め各中空部２４内ごとに補助電極施を挿入するか、表面処理液を各中空部２４内で十分に攪拌することが推奨される。あるいは、押出形材２０〜２２を塗装液中に浸漬するドブ付けを施しても良い。更に、押出形材２０〜２２の外側面には。隣接する建物の外壁や屋根と貯合わし得るブロンズ色、黒色、黒渇色、灰色などしても良い。
【００２２】
また、図１０に示すように、前記同様のアルミニウム合金からなり、内外一対の側壁３３と、複数の仕切壁３５とからなる断面がほぼ目字形状である３種類の押出形材３０，３１，２２を用いても良い。図１０で左側の押出形材３１は、一対の側壁３３と３つの仕切壁３５との間に２つの中空部３４（貯水部Ｔ）を有し、右端の仕切壁３５における内外の両端部に一対の水平片３６を突設し、これらの間に凹部３７を有する。また、図１０で中央の押出形材３０は、一対の側壁３３と３つの仕切壁３５との間に２つの中空部３４（貯水部Ｔ）を有し、左端の仕切壁３５の左側に突出し且つ中空部３９（貯水部Ｔ）を内設する角形部３８は、上記凹部３７に嵌合されると共に、右端の仕切壁３５には、内外一対の水平片３６を突設し、これらの間に凹部３７を有する。更に、図１０で右側の押出形材３２は、一対の側壁３３と３つの仕切壁２５との間に２つの中空部３４（貯水部Ｔ）を有し、左端の仕切壁３５の左側に突出し且つ中空部３９（貯水部Ｔ）を内設する角形部３８は、上記凹部３７に嵌合される。
尚、中間の上記形材３０を２個以上用いて、形材３１，３２と嵌合しても良い。
【００２３】
更に、図１１に示すように、前記同様のアルミニウム合金からなり、内外一対の側壁４３と、複数の仕切壁４５とからなる断面がほぼ日字形状である３種類の押出形材４０，４１，４２を用いても良い。図１１で左側の押出形材４１は、一対の側壁４３と２つの仕切壁４５と凹形壁４６の間に２つの中空部４４，４９（貯水部Ｔ）を有する。また、図１１で中央の押出形材４０は、一対の側壁４３と１つの仕切壁４５と凸形壁４８と凹形壁４６との間に２つの中空部４７，４９（貯水部Ｔ）を有する。更に、図１１で右側の押出形材４２は、一対の側壁４３と２つの仕切壁４５と凸形壁４８との間に２つの中空部４４，４７（貯水部Ｔ）を有する。以上のような押出形材４０〜４２は、押出形材４１，４０の凹形壁４６に、押出形材４０，４２の凸形壁４８を嵌合することで、複数の中空部４４，４７，４９（貯水部Ｔ）が直線状に内設される。
尚、中間の上記形材４０を２個以上用いて、形材４１，４２と嵌合しても良い。
以上のような３種類の押出形材３０〜３２、あるいは、３種類の押出形材４０〜４２を嵌合して形成される複数の貯水部Ｔも、前記貯水装置１に適用できる。
【００２４】
図１２は、異なる形態の貯水装置５０を示す部分断面を含む正面図、図１３は、図１２中の一点鎖線部分Ｒの拡大部分断面図、図１４は、図１３中の貯水部を含む垂直部分断面図である。
貯水装置５０は、図１２に示すように、前記同様の一対の支柱５，５と、これらの間において垂直方向に沿い且つ水平方向で間隔を置いて配置された複数の押出形材５１と、係る複数の押出形材５１の上端を塞ぎ且つ上記支柱５に固定される蓋板５３と、上記複数の押出形材５１の下端を塞ぎ且つ上記支柱５に固定される管材５５とを備えている。上記形材５１は、断面が正方形状を呈し、４つの側壁５２と、これらに囲まれた四角柱形の中空部５４（貯水部Ｔ）とを備えている。
尚、蓋板５３には、前記同様のホースｈ１が貫通し、係るホースｈ１は、図１２で左端の押出形材５１に内設された中空部５４の上端部に開口している。また、管材５５には、前記同様のホースｈ２が貫通している。
【００２５】
前記管材５５も、前記同様のアルミニウム合金からなる押出形材であり、図１３，１４に示すように、内外一対の側壁５６と、これらの上・下端を接続する天壁５７および底壁５７と、側壁５６の内側面の中間において対向して突設した一対の凸片５８と、これらに囲まれた中空部５９とを、押出（長手）方向の全長に沿って有する。図１５に示すように、天壁５７には、当該管材５５の長手方向に沿って平面視が角形で且つ前記押出形材５５の外形とほぼ同じ寸法の受入孔ｈが等間隔に複数個穿孔されている。
そのため、図１３，１４に示すように、管材５５の受入孔ｈに押出形材５１を挿入すると、係る形材５１の下端は、管材５５における一対の凸片５８に当接して支持される。係る状態で、各形材５１と管材５５との接続部に、図示しないスポット溶接を施し、且つ係る接続部に沿って防水用シール材ｓを施している。これによって、複数の押出形材５１の中空部５４からなる複数の貯水部Ｔは、管材５５の受入孔ｈと中空部５９とからなる通水部を介して互いに連通可能とされる。
【００２６】
以上のような貯水装置５０によれば、前記貯水装置１と同様に扁平な塀や囲いの形状およびサイズを有し、容易に設計・施工でき、低コストで且つ短期間に施工できると共に、隣接する建物との意匠的な調和も容易となる。更に、貯水部Ｔが複数の中空部４に分割されているので、地震などによる揺れや振動に対しても、破損や倒壊を抑制し得る。しかも、複数の押出形材５１，５１が互いに間隔を置いて垂設されているので、採光または風通し機能を有する塀、柵、日除けを兼ねさせることが可能となる。
【００２７】
図１６は、更に異なる形態の貯水装置６０を示す側面視の正面図、図１７は、図１６中のＶ−Ｖ線の矢視に沿った水平断面図である。
貯水装置６０は、図１６，１７に示すように、単一の押出形材６１と、その上端に固定した蓋板６７と、上記形材６１の下端に固定した底板６８とを備えている。上側の蓋板６７には、前記同様のホースｈ１が貫通し、係るホースｈ１は、押出形材６１に内設された何れかの中空部６４の上端部に開口している。尚、上記貯水装置６０は、底板６８を介して基礎Ｂの上に垂直に立設している。
押出形材６１も、前記同様のアルミニウム合金からなり、図１７に示すように、断面においてほぼ正方形を形成する四辺の側壁６２と、これらの内側を断面十字形に仕切る縦横一対の仕切壁６３と、これらに囲まれ且つ断面がほぼ正方形である４つの中空部６４（貯水部Ｔ）とを、押出（垂直）方向の全長に沿って有している。尚、各中空部６４の外側のコーナーには、前記同様にネジ受け溝６６が形成されている。係るネジ受け溝６６は、本形材６１の上・下端に前記蓋板６７、底板６８を固定するためのネジのネジ受けとして活用される。
【００２８】
尚、前記押出形材６１に替えて、図１８に示すように、四辺の側壁６５とこれらに囲まれた中空部６４（貯水部Ｔ）とを備えた４つの押出形材６１ａを用意し、これらを図示のように、縦横に２個ずつ隣接させ且つ図示しない結束手段（例えば、金属帯板、または金属ワイヤ）により、全体の水平断面をほぼ田の字形に結束したものを用いても良い。
図１９に示すように、前記形材６１の下端側において、互いに直交する仕切壁６３の下端には、隣接する中空部６４，６４同士を連通する切り欠き（通水部）６９が形成されている。尚、係る切り欠き６９に替えて、仕切壁６３の下端側に前記同様の貫通孔（ｔｈ）を穿孔しても良い。また、図１８にて示した４つの押出形材１ａを結束した形態では、２つの中空部６４，６４が隣接する側壁６５，６５に切り欠き６９、あるいは貫通孔（ｔｈ）を形成すると共に、これらの周囲には、防水用のシール材を塗布あるいは挟んで、雨水Ｗの漏水を予防しておく。尚、４つの中空部６４が隣接する仕切り壁６３，６３の交点付近にいつの切り欠き６９を形成しても良い。
【００２９】
以上のような貯水装置６０によれば、複数の中空部６４からなる貯水部Ｔを縦横（Ｘ−Ｙ）方向に隣接させることで、門柱、庇、あるいはベランダの支柱などの角柱材と兼用できるので、隣接する建物との意匠的な調和も容易となると共に、容易に設計・施工でき、低コストで且つ短期間に施工できる。更に、貯水部Ｔが複数の中空部６４に分割されているので、地震などによる揺れや振動に対しても、破損や倒壊を抑制することが可能となる。
【００３０】
図２０は、建物Ｈの屋根ｒの上に斜め方向に沿って配置した貯水装置７０を概略図、図２１は、係る貯水装置７０を示す分解斜視図である。
貯水装置７０は、図２１に示すように、断面が細長い長方形の押出形材７１と、その上端を閉塞する天板７７と、押出形材７１の下端を閉塞する底板７８とを備えている。天板７７には、前記同様のホースｈ１が貫通し、係るホースｈ１は、図２０で左端の押出形材７１に内設された中空部７５の上端部に開口している。また、底板７８には、前記同様のホースｈ２が貫通している。
【００３１】
上記押出形材７１も、前記同様のアルミニウム合金からなり、図２１に示すように、天壁７２、左右一対の側壁７３、底壁７４、天壁７２と底壁７４との間を接続する複数の仕切壁７６、および、これらに囲まれた複数の中空部７５（貯水部Ｔ）を押出（斜め）方向の全長に沿って有している。各仕切壁７５のうち、最低部となる下端側で且つ底壁７４側には、ほぼ三角形の切り欠き７９が予め形成され、係る複数の切り欠き７９と底板７８とによって、通水部が構成されている。
図２１中の破線で示すように、押出形材７１の上端側をほぼ水平面に沿った切断面７１ｃとした場合、天板７７とホースｈ１とを省略し、雨水Ｗを直に各中空部７５に取り込むようにしても良い。もちろん、図２１において、押出形材７１の上端側を実線のままの切断面とし、天板７７とホースｈ１とを省略しても良い。
【００３２】
以上のような貯水装置７０によれば、建物Ｈの屋根ｒの上に斜め方向に沿って配置でき、建物Ｈの周囲に設置スペースがない場合でも、従来の太陽熱温水器とほぼ同様にして容易に施工できる。また、構造が簡素なため、容易に設計・施工でき、低コストで且つ短期間に施工できる。更に、貯水部Ｔが複数の中空部７５に分割されているので、地震などによる揺れや振動に対しても、破損や倒壊を抑制することが可能となる。しかも、建物Ｈの屋根ｒ上に取り付けるため、ホースｈ２を介して一階のトイレや庭などに送水する際に、前記ポンプを省略し得る。
尚、前記押出形材７１の各中空部７５に前記同様のネジ受け溝を一体に形成することで、天板７７や底板７８の固定が容易となる。また、前記屋根ｒの広さに応じて、複数の押出形材７１を横（水平）方向に沿って併設した形態としても良い。更に、前記押出形材７１に替えて、前記押出形材２（３），１１（１９），２０〜２２，３０〜３２，４０〜４２を用いても良い。
【００３３】
図２２は３建物Ｈの屋根ｒの上に斜め方向に沿って配置できる異なる形態の貯水装置８０を示す分解斜視図である。
貯水装置８０は、図２２に示すように、四辺の側壁８２とこれらに囲まれた中空部８３（貯水部Ｔ）とからなる断面ほぼ正方形を呈し、且つ斜め方向に沿いつつ互いに間隔を置いている複数の押出形材８１と、これらの上端を閉塞する天板８４と、上記押出形材８１ごとの下端を閉塞する管材８５と、を備えている。上記天板８４には、前記同様のホースｈ１が貫通し、係るホースｈ１は、図２２で左端の押出形材８１に内設された中空部８３の上端部に開口している。また、管材８５内には、前記同様のホースｈ２が連通している。
上記管材８５は、断面が直角三角形を呈する前記同様の押出形材からなり、上壁８６、左右一対の端壁８７、底壁８８、下壁８６ａ、およびこれらに囲まれた中空部８９を備え、上壁８６には、上記押出形材８１の中空部８３（貯水部Ｔ）の下端が開口する複数の通水孔ｈが間隔を置いて開設されている。
【００３４】
前記複数の通水孔ｈと前記管材８５の中空部８９とにより、貯水装置８０の通水部が構成される。
以上のような貯水装置８０によれば、建物Ｈの屋根ｒの上に斜め方向に沿って配置でき、建物Ｈの周囲に設置スペースがない場合でも、従来の太陽熱温水器とほぼ同様に容易に施工でき、且つ効率良く雨水Ｗを温水化できる。また、容易に設計・施工でき、低コストで且つ短期間に施工できる。更に、貯水部Ｔが複数の中空部８３に分割されているので、地震などの振動に対しても、破損や倒壊を抑制することが可能となる。
【００３５】
図２３は、建物Ｈの一階１Ｆの屋根ｒ１上に設けるベランダｂの床Ｄを兼用する貯水装置９０を概略図、図２４は、係る貯水装置９０を示す分解斜視図である。
貯水装置９０は、図２４に示すように、ほぼ水平方向に沿い且つ互いに平行な複数の押出形材９１と、係る押出形材９１の上端を塞ぐ上端部材９８と、前記押出形材９１の下端を塞ぐ下端部材９９とを備えている。
押出形材９１も、前期同様のアルミニウム合金からなり、天壁９２、左右一対の側壁９３、および底壁９４からなる長方形断面を有し、天壁９２と底壁９４との間に複数の仕切壁９５を垂直に設けることで、天壁９２、側壁９３、底壁９４、および仕切壁９５の間に断面角形である複数の中空部９６（貯水部Ｔ）を有している。上記各仕切壁９５における下端部材９９側の最下部には、ほぼ三角形の切り欠き９７が形成されている。係る押出形材９１は、前記ベランダｂの床Ｄにおいて、上記中空部９６が建物Ｈの内外方向と平行になり、且つ建物Ｈ側から外側に向かって約１〜２度の水勾配を付けた水平方向に沿って配置される。
【００３６】
図２４に示すように、前記押出形材９１の上端を塞ぐ上端部材９８は、押出形材９１の上端部を受け入れる凹部９８ａを有する箱形材であり、該凹部９８ａには前記同様のホースｈ１が連通している。また、前記押出形材９１の下端を塞ぐ下端部材９９も、押出形材９１の下端部を受け入れる凹部９９ａを有する箱形材であり、該凹部９９ａには前記同様のホースｈ２が連通している。前記切り欠き９７と下端部材９９の凹部９９ａとにより、貯水装置９０の通水部が構成される。
尚、図２４では、押出形材９１ごとの上・下端に上・下端部材９８，９９を取り付ける形態としたが、複数の押出形材９１の上・下端全体を塞ぐ単一の端部材を固定する形態としても良い。また、上記ホースｈ１の他端は、例えば、図２３に示す建物Ｈの二階２Ｆの屋根ｒ２側の樋に連通されている。
【００３７】
図２５は、前記ベランダｂの床Ｄを兼用する異なる形態の貯水装置１００を示す分解斜視図である。貯水装置１００は、図２５に示すように、ほぼ水平方向に沿い且つ互いに平行な複数の押出形材１０１と、係る押出形材１０１の上端を塞ぐ蓋板１０８と、上記押出形材１０１の下端塞ぐ樋材１１０とを備えている。
押出形材１０１も、前期同様のアルミニウム合金からなり、天壁１０２、左右一対の側壁１０３、および底壁１０４からなる長方形断面を有し、天壁１０２と底壁１０４との間に複数の仕切壁１０５を斜め方向に交互に配設することで、断面がほぼ台形または台形を呈する複数の中空部１０６（貯水部Ｔ）を内設している。各中空部１０６において、当該形材１０１の最下（下端）側となる底壁１０４には、貫通孔１０７が穿孔されている。係る形材１０１も、前記ベランダｂの床Ｄにおいて、中空部１０６が建物Ｈの内外方向と平行になり、且つ建物Ｈ側から外側に向かって約１〜２度の水勾配を付けた水平方向に沿って配置される。
尚、複数の上記押出形材１０１は、側壁１０３同士が接触する配置のほか、隣接する側壁１０３，１０３間に若干の隙間を置いた配置としても良い。
【００３８】
また、各押出形材１０１の上端を塞ぐ蓋板１０８には、各形材１０１における何れかの中空部１０６に連通する前記同様のホースｈ１が貫通している。
更に、図２５および同図中の一点鎖線部分Ｑに示すように、各形材１０１の下端を塞ぐ樋材１１０は、各形材１０１の中空部１０６を塞ぐ縦壁１１１、上向きに開口し且つ凹溝１１５を内設する箱形部１１２、左右の端壁１１３、および箱形部１１２における縦壁１１と反対側からほぼ水平方向に延び且つ各形材１０１の底壁１０４の接触する水平壁１１４とを備えている。上記凹溝１１５と各押出形材１０１の切り欠き１０７とにより、貯水装置１００における凸凹状に連続した通水部が形成される。
【００３９】
以上のようなベランダｂの床Ｄを兼用する貯水装置９０，１００によれば、建物Ｈの周囲に設置スペースがない場合でも、従来同様にベランダｂを設置する際に同時に施工でき、且つ低コストにして短期間に施工できる。しかも、ベランダｂを物干しなどで使用する際に、何ら支障とならず、貯水部Ｔである中空部９６，１０６内に貯めた雨水Ｗを有効に利用することができる。更に、貯水部Ｔが複数の中空部９６，１０６に分割されているので、地震などの振動に対しても、破損などのおそれ少なくなる。
【００４０】
本発明は、以上において説明した各形態に限定されるものではない。
例えば、塀や囲いなどを兼用し得る前記貯水装置１，５０において、複数の押出形材２，５１を互いに隣接した複数組とし、且つ各組ごとの間に間隔を置いた形態としても良い。
また、門柱形状の前記貯水装置６０は、前記ベランダｂを地面から支持する支柱に適用したり、あるいはサンルームや片寄せ温室などの支柱に適用しても良い。
更に、前記ベランダｂのデッキＤを兼用し得る前記貯水装置９０，１００は、濡縁、縁台、あるいはベンチなどに適用しても良い。
加えて、前記貯水装置７０〜１００は、ビル、工場、あるいは公共施設などの大規模な建物の傾斜した屋根、あるいは水平な陸屋根の上に設置しても良い。
【産業上の利用可能性】
【００４１】
本発明によれば、住宅などの建物に降った雨水を貯蔵し且つ係る雨水をトイレの洗浄水などの生活用水や庭への打ち水などに活用するための貯水装置を、意匠性に優れ、且つ低コストで提供することが可能となり、環境上およびエネルギ上の観点からも好ましくすることが可能となる。
【符号の説明】
【００４２】
１，５０，６０，７０，８０，９０，１００…貯水装置
２,１０,１９〜２２,３０〜３２,４０〜４２,５１,６１,６１ａ,７１,８１,９１,１０１…押出形材
４,１４,２４,３４,４４,５４,６４,７５,８３,９６,１０６…中空部
８，８ｃ…凹溝
９…通水部
ｋ，６３，７９，９７…切り欠き
ｔｈ，１０７…貫通孔
Ｔ…貯水部
【図１】
2011256558.tif 000003
【図２】
2011256558.tif 000004
【図３】
2011256558.tif 000005
【図４】
2011256558.tif 000006
【図５】
2011256558.tif 000007
【図６】
2011256558.tif 000008
【図７】
2011256558.tif 000009
【図８】
2011256558.tif 000010
【図９】
2011256558.tif 000011
【図１０】
2011256558.tif 000012
【図１１】
2011256558.tif 000013
【図１２】
2011256558.tif 000014
【図１３】
2011256558.tif 000015
【図１４】
2011256558.tif 000016
【図１５】
2011256558.tif 000017
【図１６】
2011256558.tif 000018
【図１７】
2011256558.tif 000019
【図１８】
2011256558.tif 000020
【図１９】
2011256558.tif 000021
【図２０】
2011256558.tif 000022
【図２１】
2011256558.tif 000023
【図２２】
2011256558.tif 000024
【図２３】
2011256558.tif 000025
【図２４】
2011256558.tif 000026
【図２５】
2011256558.tif 000027